(57)【要約】【課題】サンマ等の魚類に対して従来の赤色電球の場合と同じ手法で集魚灯を操作した場合にもサンマ等の魚類を良好に留めることができ、漁獲量の低減することがないＬＥＤを用いた集魚灯を提供する。【解決手段】漁船に取付けられ、船上からの光で魚類を集める集魚灯であって、青色ＬＥＤに蛍光体を組み合わせて形成された擬似白色ＬＥＤと、この擬似白色ＬＥＤの光照射面側に配置され魚類の視感度が高い波長領域において高い光減衰度を有する赤色透過フィルタとを備えている。【選択図】図１
2015008715.tif 000002
【特許請求の範囲】
【請求項１】
漁船に取付けられ、船上からの光で魚類を集める集魚灯であって、
青色発光ダイオードに蛍光体を組み合わせて形成された擬似白色発光ダイオードと、該擬似白色発光ダイオードの光照射面側に配置され魚類の視感度が高い波長領域において高い光減衰度を有する赤色透過フィルタとを備えたことを特徴とする集魚灯。
【請求項２】
複数の前記擬似白色発光ダイオードを配置した発光ダイオード基板と、少なくとも前記複数の擬似白色発光ダイオード及び前記発光ダイオード基板を内部に収容する筐体と、該筐体の前面に密封的に取付けられた透明なカバー部材とを備えており、前記赤色透過フィルタは前記カバー部材とは別個に前記複数の擬似白色発光ダイオードの光照射面側に配置された赤色透過平板状フィルタであることを特徴とする請求項１に記載の集魚灯。
【請求項３】
複数の前記擬似白色発光ダイオードを配置した発光ダイオード基板と、少なくとも前記複数の擬似白色発光ダイオード及び前記発光ダイオード基板を内部に収容する筐体と、該筐体の前面に密封的に取付けられたカバー部材とを備えており、前記赤色透過フィルタは赤色透過平板状フィルタを兼用する前記カバー部材であることを特徴とする請求項１に記載の集魚灯。
【請求項４】
前記赤色透過平板状フィルタが、赤色の透明アクリル板であることを特徴とする請求項２又は３に記載の集魚灯。
【請求項５】
前記赤色透過平板状フィルタが、赤色の塩化ビニル板であることを特徴とする請求項２又は３に記載の集魚灯。
【請求項６】
前記赤色透過平板状フィルタが、赤色の透明板上に赤色透過フィルタ層を被着して構成されていることを特徴とする請求項２又は３に記載の集魚灯。
【請求項７】
複数の前記擬似白色発光ダイオードを配置した発光ダイオード基板と、少なくとも前記複数の擬似白色発光ダイオード及び前記発光ダイオード基板を内部に収容する筐体と、該筐体の前面に密封的に取付けられた透明なカバー部材とを備えており、前記赤色透過フィルタは前記擬似白色発光ダイオードの各々の前面に被着された赤色透過フィルタ層であることを特徴とする請求項１に記載の集魚灯。
【請求項８】
前記赤色透過フィルタ層が、赤色塗料を塗布して構成されていることを特徴とする請求項６又は７に記載の集魚灯。
【発明の詳細な説明】
【技術分野】
【０００１】
本発明は、漁船に取付けられ、船上からの光でサンマ等の魚類を集め、効率良く漁を行うための、発光ダイオード（ＬＥＤ）を用いた集魚灯に関する。
【背景技術】
【０００２】
漁船に設けられる集魚灯は、多数の光源（白熱電球、メタルハライド灯）を船体の周囲位置に並設し、船上から海面を照射して魚類を集め、かつ留まらせるために使用される。サンマ漁やイカ漁などの漁船においては、集魚灯を夜間に点灯させて船体両側の水面を照らし、魚類が船体の近くに集まりかつ留まる習性を利用して捕獲を行っている。
【０００３】
近年、消費電力を削減するために、メタルハライドランプや白熱電球に代えて、青色光を出射する青色ＬＥＤや赤色光を出射する赤色ＬＥＤを光源とする集魚灯が提案されている（例えば、特許文献１参照）。
【０００４】
白熱電球に赤色塗料を塗布してなる赤色電球に代えて、例えば、赤色ＬＥＤを用いれば、同じ光強度をはるかに低い電力で提供することができるため、大幅な省電力化が可能となり、その結果、操業コストを大幅に低減化することが可能となる。
【先行技術文献】
【特許文献】
【０００５】
【特許文献１】特開２００２−８４９２５号公報
【発明の概要】
【発明が解決しようとする課題】
【０００６】
しかしながら、赤色電球に代えて赤色ＬＥＤを用いたＬＥＤ集魚灯により、実際にサンマ漁を行ってみると、サンマはこの種のＬＥＤ集魚灯に対して、従来の赤色電球を用いた集魚灯に対するものと同様には反応せず、従来と同様の手法で漁を行った場合に、逆に漁獲量が大幅に低減する結果となっている。
【０００７】
従って本発明の目的は、サンマ等の魚類に対して従来の赤色電球の場合と同じ手法で集魚灯を操作した場合にも同等の反応を得ることが可能なＬＥＤを用いた集魚灯を提供することにある。
【０００８】
本発明の目的は、より具体的には、サンマ等の魚類を良好に留めることができ、漁獲量の低減することがないＬＥＤを用いた集魚灯を提供することにある。
【課題を解決するための手段】
【０００９】
本発明によれば、漁船に取付けられ、船上からの光で魚類を集める集魚灯であって、青色ＬＥＤに蛍光体を組み合わせて形成された擬似白色ＬＥＤと、この擬似白色ＬＥＤの光照射面側に配置され魚類の視感度が高い波長領域において高い光減衰度を有する赤色透過フィルタとを備えた集魚灯が提供される。
【００１０】
擬似白色ＬＥＤとこの特殊な赤色透過フィルタとの組合せにより、従来の赤色電球と同様に、魚類の視感度の高い波長領域において放射照度がほぼゼロとなり、また、赤色領域においては、赤色ＬＥＤのように赤色の領域において急激に増大することなくなだらかに変化するスペクトル分布となっている。このため、サンマ等の魚類に対して従来の赤色電球に代えてかつその手法と同じ手法で集魚灯を操作した場合にも魚類を良好に留めることができ、漁獲量が低減しない。もちろん、ＬＥＤを用いているため、消費電力を大幅に低減化することができ、また寿命も非常に長い。
【００１１】
複数の擬似白色ＬＥＤを配置したＬＥＤ基板と、少なくとも複数の擬似白色ＬＥＤ及びＬＥＤ基板を内部に収容する筐体と、筐体の前面に密封的に取付けられた透明なカバー部材とを備えており、赤色透過フィルタはカバー部材とは別個に複数の擬似白色ＬＥＤの光照射面側に配置された赤色透過平板状フィルタであることが好ましい。
【００１２】
複数の擬似白色ＬＥＤを配置したＬＥＤ基板と、少なくとも複数の擬似白色ＬＥＤ及びＬＥＤ基板を内部に収容する筐体と、筐体の前面に密封的に取付けられたカバー部材とを備えており、赤色透過フィルタは赤色透過平板状フィルタを兼用する上述のカバー部材であることも好ましい。
【００１３】
赤色透過平板状フィルタが、赤色の透明アクリル板であることも好ましい。
【００１４】
赤色透過平板状フィルタが、赤色の塩化ビニル板であることも好ましい。
【００１５】
赤色透過平板状フィルタが、赤色の透明板上に赤色透過フィルタ層を被着して構成されていることも好ましい。
【００１６】
複数の擬似白色ＬＥＤを配置したＬＥＤ基板と、少なくとも複数の擬似白色ＬＥＤ及びＬＥＤ基板を内部に収容する筐体と、筐体の前面に密封的に取付けられた透明なカバー部材とを備えており、赤色透過フィルタは擬似白色ＬＥＤの各々の前面に被着された赤色透過フィルタ層であることも好ましい。
【００１７】
赤色透過フィルタ層が、赤色塗料を塗布して構成されていることが好ましい。
【発明の効果】
【００１８】
本発明によれば、サンマ等の魚類に対して従来の赤色電球に代えてかつその手法と同じ手法で集魚灯を操作した場合にも魚類を良好に留めることができ、漁獲量が低減しない。もちろん、ＬＥＤを用いているため、消費電力を大幅に低減化することができ、また寿命も非常に長い。
【図面の簡単な説明】
【００１９】
【図１】本発明の第１の実施形態としての集魚灯の構成例を概略的に示しており、（Ａ）は立面図、（Ｂ）は一部破断平面図、及び（Ｃ）は（Ｂ）におけるＣ−Ｃ線断面図である。
【図２】第１の実施形態における集魚灯の構成を簡略化して示す模式図である。
【図３】第１の実施形態におけるＬＥＤの配置例を概略的に示す図である。
【図４】第１の実施形態における白色ＬＥＤの発光強度のスペクトル分布特性図である。
【図５】第１の実施形態における赤色透過フィルタを透過した白色ＬＥＤの放射照度のスペクトル分布特性図である。
【図６】集魚灯に用いる種々の光源による放射照度のスペクトル分布を示す特性図である。
【図７】第１の実施形態における集魚灯の漁船への取付け例を説明する図である。
【図８】海水の光透過率のスペクトル分布を０．５ｍ、１ｍ、５ｍ及び１０ｍの各深度別に表す特性図である。
【図９】深度０．５ｍにおける種々の光源による放射照度のスペクトル分布を示す特性図である。
【図１０】深度１ｍにおける種々の光源による放射照度のスペクトル分布を示す特性図である。
【図１１】深度５ｍにおける種々の光源による放射照度のスペクトル分布を示す特性図である。
【図１２】深度１０ｍにおける種々の光源による放射照度のスペクトル分布を示す特性図である。
【図１３】本発明の第２の実施形態における赤色透過フィルタを透過した白色ＬＥＤの放射照度のスペクトル分布特性図である。
【図１４】本発明の第３の実施形態における赤色透過フィルタを透過した白色ＬＥＤの放射照度のスペクトル分布特性図である。
【図１５】本発明の第４の実施形態としての集魚灯の構成例を概略的に示しており、（Ａ）は立面図、（Ｂ）は一部破断平面図、及び（Ｃ）は（Ｂ）におけるＣ−Ｃ線断面図である。
【図１６】第４の実施形態における集魚灯の構成を簡略化して示す模式図である。
【発明を実施するための形態】
【００２０】
図１及び図２は、本発明の第１の実施形態としての集魚灯の構成例を概略的に示している。
【００２１】
図１に示すように、この第１の実施形態における集魚灯は、裏面に冷却用フィン１０ａが形成された本体部材１０と、この本体部材１０の前面に配置された透明な平板状のカバー部材１１と、カバー部材１１を本体部材１０との間に挟み、複数のボルト１３及びシール部材１４等を用いて密封的に取付ける枠部材１２とを備えている。本体部材１０及び枠部材１２はアルミニウム材料をダイキャストで形成されており、カバー部材１１は光透過性の透明な樹脂材料、例えばポリカーボネートによって形成されている。本体部材１０及び枠部材１２は筐体を構成しており、この筐体とカバー部材１１とが密封的に取付けられることによって内部が水密に保たれている。
【００２２】
図１及び図２に示すように、この筐体の内部には、ＬＥＤ基板１５がボルト１６等によって本体部材１０に固定されて設けられている。ＬＥＤ基板１５の表面上には多数（図１の例では１０５個）のチップ型ＬＥＤ１７が図３に示すような配列で固着されている。ＬＥＤ基板１５には、これらチップ型ＬＥＤ１７に電気的に接続されたプリント配線部が形成されており、さらに、このプリント配線部に電気的に接続された駆動抵抗及び定電流ＩＣ等の電源回路が搭載されている。これら電源回路は、本体部材１０に設けられた防水ソケット１８を介して電源ケーブル１９に接続されている。
【００２３】
筐体の内部において、チップ型ＬＥＤ１７の前面には、赤色透過フィルタ２０として１枚の平板状フィルタが設けられており、チップ型ＬＥＤ１７から出射された光がこの平板状フィルタを通過し、さらにカバー部材１１を通過して外部に放射されるように構成されている。
【００２４】
チップ型ＬＥＤ１７は、青色ＬＥＤに蛍光体を組み合わせて形成された擬似白色ＬＥＤであり、本実施形態においては、例えば日亜化学工業株式会社製のＮＳ６Ｗ１８３Ａを使用している。図４はこの擬似白色ＬＥＤの発光強度のスペクトル分布を示している。ただし、横軸は波長（ｎｍ）、縦軸は相対発光強度である。
【００２５】
赤色透過フィルタ２０である平板状フィルタは、魚類（例えばサンマ）の視感度が高い波長領域において高い光減衰度を有するフィルタである。なお、サンマは波長が４７０〜５００ｎｍ付近の光に対して最大の視感度を有している。本実施形態における赤色透過フィルタ２０は、例えばアクリルサンデー株式会社の赤透明アクリルサンデー板のごとき赤色の透明アクリル平板で厚さ２．０ｍｍのものを用いている。図５は赤色透過フィルタ２０として、この赤色透明アクリル平板を用いた際の放射照度のスペクトル分布を示している。ただし、横軸は波長（ｎｍ）、縦軸は相対放射照度である。光源としては、上述の擬似白色ＬＥＤを用いている。
【００２６】
図６は集魚灯に用いる種々の光源の放射照度のスペクトル分布特性を示しており、Ａは光源である擬似白色ＬＥＤから放射される光（赤色透過フィルタ無し）による放射照度スペクトル分布、Ｂは光源として擬似白色ＬＥＤを用い、赤色透過フィルタ２０として第１の実施形態における赤色透明アクリル板を用いた場合の放射照度スペクトル分布、Ｃは光源として従来の白色電球（５００Ｗ）から放射される光（赤色透過フィルタ無し）による放射照度スペクトル分布、Ｄは光源として白色電球に赤色塗料を塗布した従来の赤色電球（５００Ｗ）から放射される光による放射照度スペクトル分布をそれぞれ示している。ただし、図６において、横軸は波長（ｎｍ）、縦軸は放射照度（μｍ／ｃｍ２／ｎｍ）である。
【００２７】
図６のＢ及びＤを比較して分かるように、本実施形態のごとく（擬似白色ＬＥＤ）＋（赤色透明アクリル板）の組合せによる放射照度のスペクトル分布Ｂは、従来の赤色電球による放射照度のスペクトル分布Ｄと同様に、サンマの視感度が高い波長領域（４７０〜５００ｎｍ）においてはほぼゼロであり、また、赤色ＬＥＤのように赤色の領域において急激に増大することなくなだらかに変化するスペクトル分布を有している。
【００２８】
図７は本実施形態のような集魚灯を実際に漁船に取付けて使用する例を説明している。
【００２９】
同図において、７０はサンマ棒受網漁の漁船、７１〜７３は漁船７０から伸長するポール７４に取付けられた集魚灯、７５は海中７６内のサンマ、７７は棒受網をそれぞれ示している。漁船７０には、その周囲に向けて多数のポール７４が設置されており、各ポール７４に単数又は複数の集魚灯が海面に向けて設置されている。集魚灯としては、サンマ棒受網漁の漁船７０の場合、メタルハライドランプ、青色ＬＥＤ、白色ＬＥＤ、ハロゲンランプ及び白熱ランプをそれぞれ光源とする集魚灯の他に、本実施形態のようにＬＥＤを用いた赤色の集魚灯が設けられる。サンマ漁の手法によっては、大部分の集魚灯を赤色集魚灯とする場合もある。
【００３０】
サンマ漁は、まず、メタルハライドランプによる集魚灯やサーチライト、青色ＬＥＤや白色ＬＥＤによる集魚灯、ハロゲンランプや白熱ランプによる集魚灯を点灯させ、白色光系の強い光でサンマの群れを集める。次いで、漁船の回りの集魚灯を順次消灯及び点灯させるなどの操作により、集まったサンマの群れが漁船の周囲を回るように誘導し、最終的に棒受網内に誘導して漁獲する。その漁獲の際、最後に赤色の集魚灯を点灯させ照射して、サンマの群れを上方に上げる操作が行われる。また、白色光系の強い光を照射し続けると、サンマは散ってしまうため、赤色の集魚灯を点灯させてサンマを漁船の周囲の上層に長く留まらせることも行われる。
【００３１】
サンマの視感度は、前述したように、波長が４７０〜５００ｎｍの青色領域について高く、波長が５８０ｎｍ以上の赤色領域においてはかなり低くなっている。また、赤色領域の光は、海水中では深い部分まで届かず、上層のみを照射する傾向にある。
【００３２】
図８は海水の光透過率のスペクトル分布を０．５ｍ、１ｍ、５ｍ及び１０ｍの各深度別に示している。図９〜図１２はこの光透過率のスペクトル分布を用いて求めた種々の光源による放射照度のスペクトル分布を示している。ここで、図９は深度が０．５ｍの場合、図１０は深度が１ｍの場合、図１１は深度が５ｍの場合、図１２は深度が１０ｍの場合である。ただし、図９〜図１２において、横軸は波長（ｎｍ）、縦軸は放射照度（μｍ／ｃｍ２／ｎｍ）である。
【００３３】
図９〜図１２において、ａは光源として赤色ＬＥＤを用いた場合、ｂは光源として従来の白色電球（５００Ｗ）を用いた場合、ｃは光源として白色電球に赤色塗料を塗布した従来の赤色電球（５００Ｗ）を用いた場合、ｄは光源として擬似白色ＬＥＤを用い、その前面に赤色透過フィルタ２０として（ポリカーボネート板）＋（赤色塗料）を用いた場合（第３の実施形態）をそれぞれ示している。
【００３４】
ａの赤色ＬＥＤの場合は、いずれの深度においても放射照度値が大きすぎるため、サンマは漁船の近傍に留まらず逃げてしまう。また、ｂの従来の白色電球（５００Ｗ）の場合は、深度５ｍ及び深度１０ｍにおいてもサンマの視感度の高い領域で放射照度値が大きく、サンマは上方に浮いてはこず、逃げてしまう。一方、ｃの従来の赤色電球（５００Ｗ）の場合、サンマの視感度の高い波長４７０〜５００ｎｍの領域での放射照度値がいずれの深度でも比較的低いため、サンマは上方に集まり、かつ、漁船の周囲に長い間留まる。ｄの第３の実施形態の場合、ｃの従来の赤色電球（５００Ｗ）と同様にサンマの視感度の高い波長４７０〜５００ｎｍの領域での放射照度値がいずれの深度でも比較的低くなっている。深度１０ｍにおいて、波長４８０ｎｍ以下の領域での放射照度値が高くなっているが、この領域においてはサンマの視感度が低いため、問題とはならない。
【００３５】
以上詳細に説明したように、本実施形態によれば、従来の赤色電球と同様にサンマの視感度の高い波長４７０〜５００ｎｍの領域においてほぼゼロとなり、赤色ＬＥＤのように赤色の領域において急激に増大することなくなだらかに変化するスペクトル分布の放射照度が得られる。このため、サンマ等の魚類に対して従来の赤色電球に代えてかつその手法と同じ手法で集魚灯を操作した場合にもサンマ等の魚類を良好に留めることができ、漁獲量が低減しない。もちろん、ＬＥＤを用いているため、消費電力を大幅に低減化することができ、また寿命も非常に長い。
【００３６】
図１３は、本発明の第２の実施形態における赤色透過フィルタを透過した白色ＬＥＤの放射照度のスペクトル分布特性を示している。
【００３７】
本実施形態では、赤色透過フィルタ２０である平板状フィルタの構成が第１の実施形態の場合と相違するのみであり、その他の構成は第１の実施形態の場合と全く同様である。従って、以下の説明は、両者の相違する部分についてのみ行う。また、両実施形態において同様の構成要素には同じ参照符号を用いることとする。
【００３８】
本実施形態における赤色透過フィルタ２０も、魚類（例えばサンマ）の視感度が高い波長領域において高い光減衰度を有するフィルタである。本実施形態における赤色透過フィルタ２０は、例えば株式会社光栄堂の赤色塩化ビニル板のごとき赤色塩ビ平板で厚さ０．４ｍｍのものを用いている。図１３は赤色透過フィルタ２０として、この赤色塩ビ平板を用いた際の放射照度のスペクトル分布を示している。ただし、横軸は波長（ｎｍ）、縦軸は相対放射照度である。光源としては、上述の擬似白色ＬＥＤを用いている。
【００３９】
図６において、Ｅは光源として擬似白色ＬＥＤを用い、赤色透過フィルタ２０として第２の実施形態における赤色塩化ビニル板を用いた場合の放射照度スペクトル分布を示している。
【００４０】
図６のＥ及びＤを比較して分かるように、本実施形態のごとく（擬似白色ＬＥＤ）＋（赤色塩化ビニル板）の組合せによる放射照度のスペクトル分布Ｅは、従来の赤色電球による放射照度のスペクトル分布Ｄと同様に、サンマの視感度が高い波長領域（４７０〜５００ｎｍ）においてはほぼゼロであり、また、赤色ＬＥＤのように赤色の領域において急激に増大することなくなだらかに変化するスペクトル分布を有している。なお、波長４５０ｎｍ近傍の領域での放射照度値が多少高くなっているが、この領域においてはサンマの視感度が低いため、問題とはならない。
【００４１】
従って、本実施形態によれば、従来の赤色電球と同様にサンマの視感度の高い波長４７０〜５００ｎｍの領域においてほぼゼロとなり、赤色ＬＥＤのように赤色の領域において急激に増大することなくなだらかに変化するスペクトル分布の放射照度が得られる。このため、サンマ等の魚類に対して従来の赤色電球に代えてかつその手法と同じ手法で集魚灯を操作した場合にもサンマ等の魚類を良好に留めることができ、漁獲量が低減しない。もちろん、ＬＥＤを用いているため、消費電力を大幅に低減化することができ、また寿命も非常に長い。
【００４２】
図１４は、本発明の第３の実施形態における赤色透過フィルタを透過した白色ＬＥＤの放射照度のスペクトル分布特性を示している。
【００４３】
本実施形態では、赤色透過フィルタ２０である平板状フィルタの構成が第１の実施形態の場合と相違するのみであり、その他の構成は第１の実施形態の場合と全く同様である。従って、以下の説明は、両者の相違する部分についてのみ行う。また、両実施形態において同様の構成要素には同じ参照符号を用いることとする。
【００４４】
本実施形態における赤色透過フィルタ２０も、魚類（例えばサンマ）の視感度が高い波長領域において高い光減衰度を有するフィルタである。本実施形態における赤色透過フィルタ２０は、例えば旭硝子株式会社のカーボグラスＳＧ-ＡＨのごとき透明のポリカーボネート板で厚さ３．０ｍｍのものからなる透明平板上に赤色透過フィルタ層を被着したものである。赤色透過フィルタ層は第１及び第２の実施形態の赤色透過フィルタ２０と同様のスペクトル分布を有しているものであれば、例えば塗料層、フィルム層等どのようなものであっても良いが、ここでは、赤色の印刷用インキを塗布している。赤色の印刷用インキとしては、例えば、ＤＩＣグラフィックス株式会社の１４版１５５マゼンタを用いている。図１４は赤色透過フィルタ２０として、この透明のポリカーボネート板に赤色塗料を塗布したものを用いた際の放射照度のスペクトル分布を示している。ただし、横軸は波長（ｎｍ）、縦軸は放射照度（μｍ／ｃｍ２／ｎｍ）である。光源としては、上述の擬似白色ＬＥＤを用いている。
【００４５】
図６において、Ｆ〜Ｈは光源として擬似白色ＬＥＤを用い、赤色透過フィルタ２０として第３の実施形態における透明ポリカーボネート板に赤色塗料を塗布したものを用いた場合の放射照度スペクトル分布を示している。ただし、Ｆは赤色塗料の塗布厚が比較的薄い場合、Ｇは赤色塗料の塗布厚が中間の場合、Ｈは赤色塗料の塗布厚が比較的厚い場合である。
【００４６】
図６のＦ〜ＨとＤとを比較して分かるように、本実施形態のごとく（擬似白色ＬＥＤ）＋（ポリカーボネート板）＋（赤色塗料）の組合せによる放射照度のスペクトル分布Ｆ〜Ｈは、従来の赤色電球による放射照度のスペクトル分布Ｄと同様に、サンマの視感度が高い波長領域（４７０〜５００ｎｍ）においてはほぼゼロであり、また、赤色ＬＥＤのように赤色の領域において急激に増大することなくなだらかに変化するスペクトル分布を有している。なお、波長４５０ｎｍ近傍の領域での放射照度値が多少高くなっているが、この領域においてはサンマの視感度が低いため、問題とはならない。
【００４７】
従って、本実施形態によれば、従来の赤色電球と同様にサンマの視感度の高い波長４７０〜５００ｎｍの領域においてほぼゼロとなり、赤色ＬＥＤのように赤色の領域において急激に増大することなくなだらかに変化するスペクトル分布の放射照度が得られる。このため、サンマ等の魚類に対して従来の赤色電球に代えてかつその手法と同じ手法で集魚灯を操作した場合にもサンマ等の魚類を良好に留めることができ、漁獲量が低減しない。もちろん、ＬＥＤを用いているため、消費電力を大幅に低減化することができ、また寿命も非常に長い。
【００４８】
図１５及び図１６は、本発明の第４の実施形態としての集魚灯の構成例を概略的に示している。
【００４９】
図１５に示すように、この第４の実施形態における集魚灯は、裏面に冷却用フィン１５０ａが形成された本体部材１５０と、この本体部材１５０の前面に配置された平板状のカバー部材１５１と、カバー部材１５１を本体部材１５０との間に挟み、複数のボルト１５３及びシール部材１５４等を用いて密封的に取付ける枠部材１５２とを備えている。本体部材１５０及び枠部材１５２はアルミニウム材料をダイキャストで形成されており、本実施形態ではカバー部材１５１が後述する赤色透過フィルタを兼用している。本体部材１５０及び枠部材１５２は筐体を構成しており、この筐体とカバー部材１５１とが密封的に取付けられることによって内部が水密に保たれている。
【００５０】
図１５及び図１６に示すように、この筐体の内部には、ＬＥＤ基板１５５がボルト１５６等によって本体部材１５０に固定されて設けられている。ＬＥＤ基板１５５の表面上には多数（図１５の例では１０５個）のチップ型ＬＥＤ１５７が前述の図３に示すような配列で固着されている。ＬＥＤ基板１５５には、これらチップ型ＬＥＤ１５７に電気的に接続されたプリント配線部が形成されており、さらに、このプリント配線部に電気的に接続された駆動抵抗及び定電流ＩＣ等の電源回路が搭載されている。これら電源回路は、本体部材１５０に設けられた防水ソケット１５８を介して電源ケーブル１５９に接続されている。
【００５１】
筐体の内部において、チップ型ＬＥＤ１５７の前面には、赤色透過フィルタを兼用するカバー部材１５１が設けられているのみであり、チップ型ＬＥＤ１５７から出射された光がこのカバー部材１５１を通過して外部に放射されるように構成されている。
【００５２】
チップ型ＬＥＤ１５７は、青色ＬＥＤに蛍光体を組み合わせて形成された擬似白色ＬＥＤであり、本実施形態においては、例えば日亜化学工業株式会社製のＮＳ６Ｗ１８３Ａを使用している。この擬似白色ＬＥＤの発光強度のスペクトル分布は図４に示した通りである。
【００５３】
赤色透過フィルタを兼用するカバー部材１５１は、魚類（例えばサンマ）の視感度が高い波長領域において高い光減衰度を有するフィルタである。なお、サンマは波長が４７０〜５００ｎｍ付近の光に対して最大の視感度を有している。本実施形態における赤色透過フィルタ兼用カバー部材１５１は、例えばアクリルサンデー株式会社の赤透明アクリルサンデー板のごとき赤色の透明アクリル平板で厚さ２．０ｍｍのものを用いている。この赤色透明アクリル平板を用いた際の放射照度のスペクトル分布は図５に示した通りである。光源としては、上述の擬似白色ＬＥＤを用いている。
【００５４】
本実施形態の作用効果は、前述の第１の実施形態の場合と全く同様であるため、説明を省略する。
【００５５】
第４の実施形態の変更態様として、赤色透過フィルタを兼用するカバー部材１５１に、第２の実施形態で用いた例えば株式会社光栄堂の赤色塩化ビニル板のごとき赤色塩ビ平板で厚さ０．４ｍｍのものを用いても良い。
【００５６】
また、第４の実施形態の他の変更態様として、赤色透過フィルタを兼用するカバー部材１５１に、第３の実施形態で用いた例えば旭硝子株式会社のカーボグラスＳＧ-ＡＨのごとき透明のポリカーボネート板で厚さ３．０ｍｍのものからなる透明平板上に赤色透過フィルタ層を被着したものを用いても良い。赤色透過フィルタ層として、例えば、ＤＩＣグラフィックス株式会社の１４版１５５マゼンタである赤色の印刷用インキからなる赤色塗料を用いても良い。
【００５７】
さらに、本発明の第５の実施形態として、図示されていないが、各擬似白色ＬＥＤの前面に上述した赤色塗料を塗布したものを用いても良い。
【００５８】
さらにまた、擬似白色ＬＥＤに代えて赤色ＬＥＤ、緑色ＬＥＤ及び青色ＬＥＤを組み合せて擬似白色光源としても良い。
【００５９】
また、上述した実施形態では、擬似白色ＬＥＤとしてチップ型ＬＥＤを用いているが、砲弾型ＬＥＤ又はその他の種類のＬＥＤを用いても良いことはもちろんである。
【００６０】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００６１】
１０、１５０  本体部材
１０ａ、１５０ａ  冷却用フィン
１１、１５１  カバー部材
１２、１５２  枠部材
１３、１６、１５３、１５６  ボルト
１４、１５４  シール部材
１５、１５５  ＬＥＤ基板
１７、１５７  チップ型ＬＥＤ
１８、１５８  防水ソケット
１９、１５９  電源ケーブル
２０  赤色透過フィルタ
７０  漁船
７１、７２、７３  集魚灯
７４  ポール
７５  サンマ
７６  海中
７７  棒受網
【図１】
2015008715.tif 000003
【図２】
2015008715.tif 000004
【図３】
2015008715.tif 000005
【図４】
2015008715.tif 000006
【図５】
2015008715.tif 000007
【図６】
2015008715.tif 000008
【図７】
2015008715.tif 000009
【図８】
2015008715.tif 000010
【図９】
2015008715.tif 000011
【図１０】
2015008715.tif 000012
【図１１】
2015008715.tif 000013
【図１２】
2015008715.tif 000014
【図１３】
2015008715.tif 000015
【図１４】
2015008715.tif 000016
【図１５】
2015008715.tif 000017
【図１６】
2015008715.tif 000018